(57)【要約】【課題】屋内空気の換気送風を行う換気送風装置において、給気側に取り付けられた集塵フィルタのメンテナンスを不要にすることを目的としている。【解決手段】外気を屋内に導く通風路１と、前記通風路１に導かれた外気に含まれる塵埃を集塵する集塵フィルタ２と、集塵された塵埃を除去する集塵フィルタ清掃手段３と、送風機６を備え、前記送風機６は通常は屋内側４への給気を行い、塵埃排出の間は屋外側５への排気を行い、塵埃排出終了後、屋内側４への給気を行うことにより、集塵フィルタ清掃時は、集塵フィルタ清掃手段３により清掃ができ、送風機６により通常は屋内側４への給気を行い、集塵フィルタ清掃終了後は屋外側５への排気ができ、塵埃排出終了後は屋内側４への給気ができ、前記送風機６は塵埃による劣化の可能性が少なく、また、塵埃排出用の排出路および送風機が不要な、集塵フィルタ２のメンテナンス不要な換気送風装置を提供できる。【選択図】図１
2005241093.tif 000002
【特許請求の範囲】
【請求項１】
屋内空気の換気送風を行う換気送風装置において、外気を屋内に導く通風路と、前記通風路に導かれた外気に含まれる塵埃を集塵する集塵フィルタと、集塵された塵埃を除去する集塵フィルタ清掃手段と送風機を備え、前記送風機は通常は屋内側への給気を行い、集塵フィルタ清掃終了後の塵埃を排出する間は屋外側への排気を行い、塵埃排出終了後、屋内側への給気を行うことを特徴とする換気送風装置。
【請求項２】
通風路内の風速または風量を検出する風速風量検出手段と、前記風速風量検出手段により検出された風速または風量と所定風量を比較する事により前記集塵フィルタの目詰まりを判定する目詰まり判定手段を備え、前記目詰まり判定手段の結果に基づき集塵された塵埃を除去する集塵フィルタ清掃手段を動作させることを特徴とする請求項１記載の換気送風装置。
【請求項３】
送風機の回転数を検出する回転数検出手段と、前記回転数検出手段により検出された回転数と所定回転数を比較する事により集塵フィルタの目詰まりを判定する目詰まり判定手段を備え、前記目詰まり判定手段の結果に基づき集塵された塵埃を除去する集塵フィルタ清掃手段を動作させることを特徴とする請求項１または２に記載の換気送風装置。
【請求項４】
換気送風装置の運転時間を計測する運転時間計測手段と、前記運転時間計測手段により計測された運転時間と所定時間を比較する事により集塵フィルタの清掃を行うか否かを判定する定期清掃判定手段を備え、集塵された塵埃を除去する集塵フィルタ清掃手段を定期的に動作させることを特徴とする請求項１、２または３に記載の換気送風装置。
【請求項５】
請求項１の送風機に替えて、片方向のみの送風を行う送風機と、送風方向を逆転させる送風機送風方向変更手段を備えたことを特徴とする請求項１、２、３または４に記載の換気送風装置。
【請求項６】
請求項１の送風機に替えて、片方向のみの送風を行う送風機を２台備え、互いに送風方向が逆方向になるよう配置したことを特徴とする請求項１、２、３または４に記載の換気送風装置。
【請求項７】
集塵フィルタ清掃手段に替えて集塵フィルタを振動させて集塵された塵埃を除去する集塵フィルタ振動手段を備えたことを特徴とする請求項１、２、３、４、５または６に記載の換気送風装置。
【請求項８】
集塵フィルタの清掃を行う際に、居住者にその旨および動作状態を報知する報知手段を備えたことを特徴とする請求項１、２、３、４、５、６または７に記載の換気送風装置。
【請求項９】
外気を屋内側に導く通風路内の集塵フィルタの上流側に、集塵フィルタ清掃終了後の塵埃を排出する為の排出口と、前記排出口に塵埃排出用開閉手段を備え、前記塵埃排出用開閉手段は塵埃排出時のみ開くことを特徴とする請求項１、２、３、４、５、７または８に記載の換気送風装置。
【請求項１０】
集塵フィルタ清掃終了後の塵埃が外気を屋内に導く通風路内に残留しないように塵埃排出時のみ通風路を閉じる塵埃残留防止用開閉手段を通風路内に備えたことを特徴とする請求項９記載の換気送風装置。
【請求項１１】
運転時間計測手段と、定期清掃判定手段と、集塵フィルタの目詰まりを検出する集塵フィルタ目詰まり検出手段と、目詰まり判定手段を備え、前記定期清掃判定手段と前記目詰まり判定手段のうち、少なくともどちらか一方が集塵フィルタの清掃を行うと判定した際に集塵フィルタ清掃手段を動作させる清掃判定手段を備えたことを特徴とする請求項１、２、３、４、５、６、７、８、９または１０に記載の換気送風装置。
【発明の詳細な説明】
【技術分野】
【０００１】
本発明は、屋内空気の換気送風を行う換気送風装置において、給気側に取り付けられた集塵フィルタのメンテナンスを不要にする換気送風装置に関する。
【背景技術】
【０００２】
一般に屋外から屋内へ空気を取り入れる給気用ファンや、給排気を行う換気送風装置の給気側には屋外から屋内への虫の侵入や塵埃の侵入を防止するために集塵フィルタが取り付けられている。運転時間の経過とともに集塵フィルタに塵埃などが堆積されるので、集塵フィルタの交換や清掃を行わなければ、目詰まり等を発生させ換気能力の低下および堆積した塵埃からの異臭発生要因となる。しかしながら、集塵フィルタの交換や清掃は使用者にとって手間がかかる、また、換気送風装置が取り付けられる場所によりその作業が困難な場合がある。従って集塵フィルタのメンテナンスを容易に、さらには不要にすることが求められている。
【０００３】
また、メンテナンスを容易に、あるいは不要にすることで施工性が悪化せず、換気送風装置としての寿命も悪化しないことも求められている。
【０００４】
従来、この種のものについて、室内空気を循環させる循環路と、前記循環路に室内空気を導く送風手段と、前記循環路に導かれた室内空気に含まれる塵埃を集塵する集塵部と、前記集塵部にて集塵された塵埃を除去する塵埃除去手段と、前記塵埃除去手段にて除去された塵埃を室外へ排出させるための排出路と、前記排出路を開閉する開閉手段と、前記排出路内に塵埃を室外へ排出させる送風機とを備えた空気清浄機能付空気調和機が知られている（例えば、特許文献１参照）。
【０００５】
以下、その空気清浄機能付空気調和機について図３０を参照しながら説明する。
【０００６】
図３０に示すように、空気清浄機能付空気調和機は、室内空気を循環させる空気清浄気流路１０１と、前記空気清浄気流路１０１に室内空気を導く送風機１０２と、前記空気清浄気流路１０１に導かれた室内空気に含まれる塵埃を集塵する空気清浄集塵部１０３と、前記空気清浄集塵部１０３にて集塵された塵埃を除去するブラシ１０４と、前記ブラシ１０４により除去された塵埃を室外へ排出させる排出路である換気ダクト１０５および塵埃排出用のダンパ１０６と、塵埃排出用の送風機１０７とを備えることにより、空気清浄時には気流Ｘの経路にて空気清浄を行うことができ、塵埃排出時には前記ブラシ１０４により前記空気清浄集塵部１０３の清掃を行い、前記ダンパ１０６を開き、気流Ｙの経路にて塵埃の排出を行うことができ、空気清浄集塵部１０３のメンテナンスを不要としている。
【特許文献１】特開平１１−１４０９３号公報
【発明の開示】
【発明が解決しようとする課題】
【０００７】
このような従来の方法では、集塵フィルタのメンテナンスを不要とすることにおいて有効だが、塵埃排出用の排出路が別途必要となるため施工性が悪化するという課題があり、施工性が悪化することなく集塵フィルタのメンテナンス不要とすることが要求されている。
【０００８】
本発明は、このような従来の課題を解決するものであり、施工性が悪化することなく集塵フィルタのメンテナンス不要とする換気送風装置を提供することを目的としている。
【０００９】
また、塵埃排出用の送風機が塵埃により劣化し易いという課題があり、塵埃排出用の送風機が塵埃により劣化しない、あるいは別途に塵埃排出用の送風機を必要としない構成とすることが要求される。
【００１０】
本発明は、このような従来の課題を解決するものであり、別途に塵埃排出用の送風機を必要としない構成とした換気送風装置を提供することを目的としている。
【００１１】
また、塵埃排出用の送風機が塵埃により劣化すると換気能力の低下を引き起こし、塵埃排出用の排出路内に塵埃が残留し易くなり、結果堆積した塵埃などからの異臭発生要因となる課題があり、塵埃排出用の排出路内に塵埃が残留しない、あるいは別途に塵埃排出用の排出路を必要としない構成とすることが要求される。
【００１２】
本発明は、このような従来の課題を解決するものであり、別途に塵埃排出用の排出路を必要としない構成とした換気送風装置を提供することを目的としている。
【課題を解決するための手段】
【００１３】
本発明の換気送風装置は上記目的を達成するために、外気を屋内に導く通風路と、前記通風路に導かれた外気に含まれる塵埃を集塵する集塵フィルタと、集塵された塵埃を除去する集塵フィルタ清掃手段と、送風機を備え、前記送風機は、通常は屋内側への給気を行い、集塵フィルタ清掃終了後の塵埃を排出する間は屋外側への排気を行い、塵埃排出終了後、屋内側への給気を行うことを特徴としたものである。
【００１４】
この手段により通常は屋内側への給気を行い、集塵フィルタ清掃終了後の塵埃を排出する間は屋外側への排気を行い、塵埃排出終了後、屋内側への給気を行う送風機により、通常は屋内側への給気を行い、集塵フィルタの清掃時には、集塵された塵埃を除去する集塵フィルタ清掃手段により清掃を行うことができる。
【００１５】
また、集塵フィルタ清掃終了後には、前記送風機により屋外側へ塵埃の排出を行うことができ、塵埃排出終了後には、通常の屋内側への給気を行うことができる。
【００１６】
さらに、前記送風機は塵埃による劣化の可能性が少なく、塵埃排出用の排出路および送風機を必要としない、また、集塵フィルタのメンテナンス不要な換気送風装置が得られる。
【００１７】
また、本発明の換気送風装置は上記目的を達成するために、通風路内の風速または風量を検出する風速風量検出手段と、前記風速風量検出手段により検出された風速または風量と所定風量を比較する事により集塵フィルタの目詰まりを判定する目詰まり判定手段を備え、前記目詰まり判定手段の結果に基づき集塵フィルタ清掃手段を動作させる構成としたものである。
【００１８】
この手段により通常は屋内側への給気を行い、集塵フィルタ清掃終了後の塵埃を排出する間は屋外側への排気を行い、塵埃排出終了後、屋内側への給気を行う送風機により、通常は屋内側への給気を行い、風速風量検出手段と目詰まり判定手段により、集塵フィルタの目詰まりを風速風量の変化により判定でき、集塵フィルタが目詰まりしていると判定された際には、集塵された塵埃を除去する集塵フィルタ清掃手段により清掃を行うことができる。
【００１９】
また、集塵フィルタ清掃終了後には、前記送風機により屋外側へ塵埃の排出を行うことができ、塵埃排出終了後には、通常の屋内側への給気を行うことができる。
【００２０】
さらに、前記送風機は塵埃による劣化の可能性が少なく、塵埃排出用の排出路および送風機を必要としない、また、集塵フィルタのメンテナンス不要な換気送風装置が得られる。
【００２１】
さらに、本発明の換気送風装置は上記目的を達成するために、送風機の回転数を検出する回転数検出手段と、前記回転数検出手段により検出された回転数と所定回転数を比較する事により集塵フィルタの目詰まりを判定する目詰まり判定手段を備え、前記目詰まり判定手段の結果に基づき集塵フィルタ清掃手段を動作させる構成としたものである。
【００２２】
この手段により通常は屋内側への給気を行い、集塵フィルタ清掃終了後の塵埃を排出する間は屋外側への排気を行い、塵埃排出終了後、屋内側への給気を行う送風機により、通常は屋内側への給気を行い、回転数検出手段と目詰まり判定手段により、集塵フィルタの目詰まりを送風機の回転数変化により判定でき、集塵フィルタが目詰まりしていると判定された際には、集塵された塵埃を除去する集塵フィルタ清掃手段により清掃を行うことができる。
【００２３】
また、集塵フィルタ清掃終了後には、前記送風機により屋外側へ塵埃の排出を行うことができ、塵埃排出終了後には、通常の屋内側への給気を行うことができる。
【００２４】
さらに、前記送風機は塵埃による劣化の可能性が少なく、塵埃排出用の排出路および送風機を必要としない、また、集塵フィルタのメンテナンス不要な換気送風装置が得られる。
【００２５】
また、本発明の換気送風装置は上記目的を達成するために、換気送風装置の運転時間を計測する運転時間計測手段と、計測された運転時間と所定時間を比較する事により集塵フィルタの清掃を行うか否かを判定する定期清掃判定手段を備え、定期的に集塵フィルタ清掃手段を動作させる構成としたものである。
【００２６】
この手段により通常は屋内側への給気を行い、集塵フィルタ清掃終了後の塵埃を排出する間は屋外側への排気を行い、塵埃排出終了後、屋内側への給気を行う送風機により、通常は屋内側への給気を行い、運転時間計測手段と定期清掃判定手段により、集塵フィルタの目詰まりが発生しないよう定期的に集塵フィルタ清掃手段により清掃を行うことができる。
【００２７】
また、集塵フィルタ清掃終了後には、前記送風機により屋外側へ塵埃の排出を行うことができ、塵埃排出終了後には、通常の屋内側への給気を行うことができる。
【００２８】
さらに、前記送風機は劣化の可能性が少なく、塵埃排出用の排出路および送風機を必要としない、また、集塵フィルタのメンテナンス不要な換気送風装置が得られる。
【００２９】
さらに、本発明の換気送風装置は上記目的を達成するために、通常は屋内側への給気を行い、集塵フィルタ清掃終了後の塵埃を排出する間は屋外側への排気を行い、塵埃排出終了後、屋内側への給気を行う送風機に替えて、片方向のみの送風を行う送風機と、送風方向を逆転させる送風機送風方向変更手段を備えた構成としたものである。
【００３０】
この手段により屋内側への給気を行う送風機により、通常は屋内側への給気を行い、集塵フィルタの清掃時には、集塵された塵埃を除去する集塵フィルタ清掃手段により清掃を行うことができる。
【００３１】
また、集塵フィルタ清掃終了後には、送風機送風方向変更手段により送風方向を屋外側へ変更し、屋外側へ塵埃の排出を行うことができ、塵埃排出終了後には、前記送風機送風方向変更手段により送風方向を屋内側へ変更し、通常の屋内側への給気を行うことができる。
【００３２】
さらに、前記送風機は塵埃による劣化の可能性が少なく、塵埃排出用の排出路および送風機を必要としない、また、集塵フィルタのメンテナンス不要な換気送風装置が得られる。
【００３３】
また、本発明の換気送風装置は上記目的を達成するために、通常は屋内側への給気を行い、集塵フィルタ清掃終了後の塵埃を排出する間は屋外側への排気を行い、塵埃排出終了後、屋内側への給気を行う送風機に替えて、片方向のみの送風を行う送風機を２台備え、互いに送風方向が逆方向になるよう配置した構成としたものである。
【００３４】
この手段により屋内側への給気を行う送風機により、通常は屋内側への給気を行い、集塵フィルタの清掃時には、集塵された塵埃を除去する集塵フィルタ清掃手段により清掃を行うことができる。
【００３５】
また、集塵フィルタ清掃終了後には、屋外側への排気を行う送風機により屋外側へ塵埃の排出を行うことができ、塵埃排出終了後には、屋内側への給気を行う送風機により、通常の屋内側への給気を行うことができる。
【００３６】
さらに、前記送風機は塵埃による劣化の可能性が少なく、塵埃排出用の排出路を必要としない、また、集塵フィルタのメンテナンス不要な換気送風装置が得られる。
【００３７】
さらに、本発明の換気送風装置は上記目的を達成するために、集塵フィルタ清掃手段に替えて集塵フィルタを振動させて集塵された塵埃を除去する集塵フィルタ振動手段を備えた構成としたものである。
【００３８】
この手段により集塵フィルタを振動させて集塵された塵埃を除去することができ、送風機は塵埃による劣化の可能性が少なく、塵埃排出用の排出路および送風機を必要としない、また、集塵フィルタのメンテナンス不要な換気送風装置が得られる。
【００３９】
また、本発明の換気送風装置は上記目的を達成するために、集塵フィルタの清掃を行う際に、居住者にその旨および動作状態を報知する報知手段を備えた構成としたものである。
【００４０】
この手段により集塵フィルタ清掃時には居住者にその旨および動作状態を報知することができ、送風機は塵埃による劣化の可能性が少なく、塵埃排出用の排出路および送風機を必要としない、また、集塵フィルタのメンテナンス不要な換気送風装置が得られる。
【００４１】
さらに、本発明の換気送風装置は上記目的を達成するために、外気を屋内に導く通風路の集塵フィルタの上流側に、集塵フィルタ清掃終了後の塵埃を排出する為の排出口と、前記排出口に塵埃排出用開閉手段を備え、前記塵埃排出用開閉手段は塵埃排出時のみ開くことを特徴としたものである。
【００４２】
この手段により送風機は塵埃による劣化の可能性が少なく、塵埃排出用の排出路および送風機を必要としない、また、集塵フィルタのメンテナンスが容易な換気送風装置が得られる。
【００４３】
また、本発明の換気送風装置は上記目的を達成するために、集塵フィルタ清掃終了後の塵埃が外気を屋内に導く通風路内に残留しないように塵埃排出時のみ通風路を閉じる塵埃残留防止用開閉手段を通風路内に備えた構成としたものである。
【００４４】
この手段により送風機は塵埃による劣化の可能性が少なく、塵埃排出時のみ塵埃残留防止用開閉手段を閉じ、排出口からのみ塵埃排出を行うので、外気を屋内に導く通風路内に集塵フィルタ清掃終了後の塵埃が残留することを防止でき、塵埃排出用の排出路および送風機を必要としない、また、集塵フィルタのメンテナンスが容易な換気送風装置が得られる。
【００４５】
さらに、本発明の換気送風装置は上記目的を達成するために、運転時間計測手段と、定期清掃判定手段と、集塵フィルタの目詰まりを検出する集塵フィルタ目詰まり検出手段と、目詰まり判定手段を備え、前記定期清掃判定手段と前記目詰まり判定手段のうち少なくともどちらか一方が集塵フィルタの清掃を行うと判定した際に集塵フィルタ清掃手段を動作させる清掃判定手段を備えた構成としたものである。
【００４６】
この手段により通常は屋内側への給気を行い、集塵フィルタ清掃終了後の塵埃を排出する間は屋外側への排気を行い、塵埃排出終了後、屋内側への給気を行う送風機により、通常は屋内側への給気を行い、運転時間計測手段と定期清掃判定手段により、集塵フィルタの目詰まりが発生しないよう、また、塵埃が少なく目詰まり判定手段にて目詰まりしているという判定に至る経過時間が長くなった際など塵埃がこびりついて除去し辛くなるのを防ぐよう定期的に集塵フィルタ清掃手段により清掃を行うことができる。
【００４７】
また、取り込んだ外気の塵埃が急激に増加し集塵フィルタが目詰まりした際にも、集塵フィルタ目詰まり検出手段と目詰まり判定手段により、前記集塵フィルタが目詰まりしていると判定し前記集塵フィルタ清掃手段により清掃を行うことができる。
【００４８】
さらに、集塵フィルタ清掃終了後には、前記送風機により屋外側へ塵埃の排出を行うことができ、塵埃排出終了後には、通常の屋内側への給気を行うことができる。
【００４９】
また、前記送風機は塵埃による劣化の可能性が少なく、塵埃排出用の排出路および送風機を必要としない、また、集塵フィルタのメンテナンス不要な換気送風装置が得られる。
【発明の効果】
【００５０】
本発明によれば、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、集塵フィルタの清掃時には、集塵された塵埃を除去する集塵フィルタ清掃手段により清掃を行うことができる。
【００５１】
また、集塵フィルタ清掃終了後には、前記送風機により屋外側へ塵埃の排出を行うことができ、塵埃排出終了後には、通常の屋内側への給気を行うことができる。
【００５２】
さらに、前記送風機は塵埃による劣化の可能性が少なく、塵埃排出用の排出路および送風機を必要としない、また、集塵フィルタのメンテナンス不要な換気送風装置を提供できる。
【００５３】
また、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、風速風量検出手段と目詰まり判定手段により、集塵フィルタの目詰まりを風速風量の変化により判定でき、集塵フィルタが目詰まりしていると判定された際には、集塵された塵埃を除去する集塵フィルタ清掃手段により清掃を行うことができる。
【００５４】
また、集塵フィルタ清掃終了後には、前記送風機により屋外側へ塵埃の排出を行うことができ、塵埃排出終了後には、通常の屋内側への給気を行うことができる。
【００５５】
さらに、前記送風機は塵埃による劣化の可能性が少なく、塵埃排出用の排出路および送風機を必要としない、また、集塵フィルタのメンテナンス不要な換気送風装置を提供できる。
【００５６】
さらに、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、回転数検出手段と目詰まり判定手段により、集塵フィルタの目詰まりを送風機の回転数変化により判定でき、集塵フィルタが目詰まりしていると判定された際には、集塵された塵埃を除去する集塵フィルタ清掃手段により清掃を行うことができる。
【００５７】
また、集塵フィルタ清掃終了後には、前記送風機により屋外側へ塵埃の排出を行うことができ、塵埃排出終了後には、通常の屋内側への給気を行うことができる。
【００５８】
さらに、前記送風機は塵埃による劣化の可能性が少なく、塵埃排出用の排出路および送風機を必要としない、また、集塵フィルタのメンテナンス不要な換気送風装置を提供できる。
【００５９】
また、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、運転時間計測手段と定期清掃判定手段により、集塵フィルタの目詰まりが発生しないよう定期的に集塵フィルタ清掃手段により清掃を行うことができる。
【００６０】
また、集塵フィルタ清掃終了後には、前記送風機により屋外側へ塵埃の排出を行うことができ、塵埃排出終了後には、通常の屋内側への給気を行うことができる。
【００６１】
さらに、前記送風機は塵埃による劣化の可能性が少なく、塵埃排出用の排出路および送風機を必要としない、また、集塵フィルタのメンテナンス不要な換気送風装置を提供できる。
【００６２】
さらに、屋内側への給気を行う送風機により、通常は屋内側への給気を行い、集塵フィルタの清掃時には、集塵された塵埃を除去する集塵フィルタ清掃手段により清掃を行うことができる。
【００６３】
また、集塵フィルタ清掃終了後には、送風機送風方向変更手段により送風方向を屋外側へ変更し、屋外側へ塵埃の排出を行うことができ、塵埃排出終了後には、前記送風機送風方向変更手段により送風方向を屋内側へ変更し、通常の屋内側への給気を行うことができる。
【００６４】
さらに、前記送風機は塵埃による劣化の可能性が少なく、塵埃排出用の排出路および送風機を必要としない、また、集塵フィルタのメンテナンス不要な換気送風装置を提供できる。
【００６５】
また、屋内側への給気を行う送風機により、通常は屋内側への給気を行い、集塵フィルタの清掃時には、集塵された塵埃を除去する集塵フィルタ清掃手段により清掃を行うことができる。
【００６６】
また、集塵フィルタ清掃終了後には、屋外側への排気を行う送風機により屋外側へ塵埃の排出を行うことができ、塵埃排出終了後には、屋内側への給気を行う送風機により、通常の屋内側への給気を行うことができる。
【００６７】
さらに、前記送風機は塵埃による劣化の可能性が少なく、塵埃排出用の排出路を必要としない、また、集塵フィルタのメンテナンス不要な換気送風装置を提供できる。
【００６８】
さらに、集塵フィルタを振動させて集塵された塵埃を除去することができ、また、送風機は塵埃による劣化の可能性が少なく、塵埃排出用の排出路および送風機を必要としない、また、集塵フィルタのメンテナンス不要な換気送風装置を提供できる。
【００６９】
また、集塵フィルタ清掃時には居住者にその旨および動作状態を報知することができ、また、送風機は塵埃による劣化の可能性が少なく、塵埃排出用の排出路および送風機を必要としない、また、集塵フィルタのメンテナンス不要な換気送風装置を提供できる。
【００７０】
さらに、送風機は塵埃による劣化の可能性が少なく、塵埃排出用の排出路および送風機を必要としない、また、集塵フィルタのメンテナンスが容易な換気送風装置を提供できる。
【００７１】
また、送風機は塵埃による劣化の可能性が少なく、塵埃排出時のみ塵埃残留防止用開閉手段を閉じ、排出口からのみ塵埃排出を行うので、外気を屋内に導く通風路内に集塵フィルタ清掃終了後の塵埃が残留することを防止でき、塵埃排出用の排出路および送風機を必要としない、また、集塵フィルタのメンテナンスが容易な換気送風装置を提供できる。
【００７２】
さらに、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、運転時間計測手段と定期清掃判定手段により集塵フィルタの目詰まりが発生しないよう、また、塵埃が少なく目詰まり判定手段にて目詰まりしているという判定に至る経過時間が長くなった際など塵埃がこびりついて除去し辛くなるのを防ぐよう定期的に集塵フィルタ清掃手段により清掃を行うことができる。
【００７３】
また、取り込んだ外気の塵埃が急激に増加し集塵フィルタが目詰まりした際にも、集塵フィルタ目詰まり検出手段と目詰まり判定手段により、前記集塵フィルタが目詰まりしていると判定し前記集塵フィルタ清掃手段により清掃を行うことができる。
【００７４】
さらに、集塵フィルタ清掃終了後には、前記送風機により屋外側へ塵埃の排出を行うことができ、塵埃排出終了後には、通常の屋内側への給気を行うことができる。
【００７５】
また、前記送風機は塵埃による劣化の可能性が少なく、塵埃排出用の排出路および送風機を必要としない、また、集塵フィルタのメンテナンス不要な換気送風装置を提供できる。
【発明を実施するための最良の形態】
【００７６】
本発明の請求項１記載の発明は、屋内空気の換気送風を行う換気送風装置において、外気を屋内に導く通風路と、通風路に導かれた外気に含まれる塵埃を集塵する集塵フィルタと、集塵フィルタが目詰まりした際には、集塵された塵埃を除去する集塵フィルタ清掃手段と、送風機を備え、前記送風機は通常は屋内側への給気を行い、集塵フィルタ清掃終了後の塵埃を排出する間は屋外側への排気を行い、塵埃排出終了後、屋内側への給気を行うことを特徴とした換気送風装置であり、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、集塵フィルタの清掃時には、集塵された塵埃を除去する集塵フィルタ清掃手段により清掃を行うことができるという作用を有する。
【００７７】
また、集塵フィルタ清掃終了後には、前記送風機により屋外側へ塵埃の排出を行うことができ、塵埃排出終了後には、通常の屋内側への給気を行うことができるという作用を有する。
【００７８】
さらに、前記送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００７９】
また、通風路内の風速または風量を検出する風速風量検出手段と、風速風量検出手段により検出された風速または風量と所定風量を比較する事により集塵フィルタの目詰まりを判定する目詰まり判定手段を備え、目詰まり判定手段の結果に基づき集塵フィルタ清掃手段を動作させることを特徴としたものであり、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、風速風量検出手段と目詰まり判定手段により、集塵フィルタの目詰まりを風速風量の変化により判定でき、集塵フィルタが目詰まりしていると判定された際には、集塵された塵埃を除去する集塵フィルタ清掃手段により清掃を行うことができるという作用を有する。
【００８０】
また、集塵フィルタ清掃終了後には、前記送風機により屋外側へ塵埃の排出を行うことができ、塵埃排出終了後には、通常の屋内側への給気を行うことができるという作用を有する。
【００８１】
さらに、前記送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００８２】
さらに、送風機の回転数を検出する回転数検出手段と、回転数検出手段により検出された回転数と所定回転数を比較する事により集塵フィルタの目詰まりを判定する目詰まり判定手段を備え、目詰まり判定手段の結果に基づき集塵フィルタ清掃手段を動作させることを特徴としたものであり、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、回転数検出手段と目詰まり判定手段により、集塵フィルタの目詰まりを送風機の回転数変化により判定でき、集塵フィルタが目詰まりしていると判定された際には、集塵された塵埃を除去する集塵フィルタ清掃手段により清掃を行うことができるという作用を有する。
【００８３】
また、集塵フィルタ清掃終了後には、前記送風機により屋外側へ塵埃の排出を行うことができ、塵埃排出終了後には、通常の屋内側への給気を行うことができるという作用を有する。
【００８４】
さらに、前記送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００８５】
また、換気送風装置の運転時間を計測する運転時間計測手段と、計測された運転時間と所定時間を比較する事により集塵フィルタの清掃を行うか否かを判定する定期清掃判定手段を備え、定期的に集塵フィルタ清掃手段を動作させることを特徴としたものであり、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、運転時間計測手段と定期清掃判定手段により、集塵フィルタの目詰まりが発生しないよう定期的に集塵フィルタ清掃手段により清掃を行うことができるという作用を有する。
【００８６】
また、集塵フィルタ清掃終了後には、前記送風機により屋外側へ塵埃の排出を行うことができ、塵埃排出終了後には、通常の屋内側への給気を行うことができるという作用を有する。
【００８７】
さらに、前記送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００８８】
さらに、通常は屋内側への給気を行い、集塵フィルタ清掃終了後の塵埃を排出する間は屋外側への排気を行い、塵埃排出終了後、屋内側への給気を行う送風機に替えて、片方向のみの送風を行う送風機と、送風方向を逆転させる送風機送風方向変更手段を備えたものであり、屋内側への給気を行う送風機により、通常は屋内側への給気を行い、集塵フィルタの清掃時には、集塵された塵埃を除去する集塵フィルタ清掃手段により清掃を行うことができるという作用を有する。
【００８９】
また、集塵フィルタ清掃終了後には、送風機送風方向変更手段により送風方向を屋外側へ変更し、前記送風機により屋外側へ塵埃の排出を行うことができ、塵埃排出終了後には、前記送風機送風方向変更手段により送風方向を屋内側へ変更し、通常の屋内側への給気を行うことができるという作用を有する。
【００９０】
さらに、前記送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００９１】
また、通常は屋内側への給気を行い、集塵フィルタ清掃終了後の塵埃を排出する間は屋外側への排気を行い、塵埃排出終了後、屋内側への給気を行う送風機に替えて、片方向のみの送風を行う送風機を２台備え、互いに送風方向が逆方向になるよう配置したものであり、屋内側への給気を行う送風機により、通常は屋内側への給気を行い、集塵フィルタの清掃時には、集塵された塵埃を除去する集塵フィルタ清掃手段により清掃を行うことができるという作用を有する。
【００９２】
また、集塵フィルタ清掃終了後には、屋外側への排気を行う送風機により屋外側へ塵埃の排出を行うことができ、塵埃排出終了後には、屋内側への給気を行う送風機により、通常の屋内側への給気を行うことができるという作用を有する。
【００９３】
さらに、前記送風機は通風路内の前記集塵フィルタの下流側、すなわち塵埃を除去された空間内にあるため塵埃による劣化の可能性が少なく、塵埃排出用の排出路を必要としない、また、集塵フィルタのメンテナンス不要な換気送風装置を提供できるという作用を有する。
【００９４】
さらに、集塵フィルタ清掃手段に替えて集塵フィルタを振動させて集塵された塵埃を除去する集塵フィルタ振動手段を備えたものであり、集塵フィルタを振動させて集塵された塵埃を除去することができ、また、送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００９５】
また、集塵フィルタの清掃を行う際に、居住者にその旨および動作状態を報知する報知手段を備えたものであり、集塵フィルタ清掃時には居住者にその旨および動作状態を報知することができ、また、送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【００９６】
さらに、外気を屋内に導く通風路の集塵フィルタの上流側に、集塵フィルタ清掃終了後の塵埃を排出する為の排出口と、前記排出口に塵埃排出用開閉手段を備え、前記塵埃排出用開閉手段は塵埃排出時のみ開くことを特徴としたものであり、送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンスが容易な換気送風装置を提供できるという作用を有する。
【００９７】
また、集塵フィルタ清掃終了後の塵埃が外気を屋内に導く通風路内に残留しないように塵埃排出時のみ通風路を閉じる塵埃残留防止用開閉手段を通風路内に備えたものであり、送風機は通風路内の集塵フィルタの下流側、すなわち塵埃を除去された空間内にあるため塵埃による劣化の可能性が少なく、塵埃排出時のみ塵埃残留防止用開閉手段を閉じ、排出口からのみ塵埃排出を行うので、外気を屋内に導く通風路内に集塵フィルタ清掃終了後の塵埃が残留することを防止でき、塵埃排出用の排出路および送風機を必要としない、また、集塵フィルタのメンテナンスが容易な換気送風装置を提供できるという作用を有する。
【００９８】
さらに、運転時間計測手段と、定期清掃判定手段と、集塵フィルタの目詰まりを検出する集塵フィルタ目詰まり検出手段と、目詰まり判定手段を備え、前記定期清掃判定手段と前記目詰まり判定手段のうち少なくともどちらか一方が集塵フィルタの清掃を行うと判定した際に集塵フィルタ清掃手段を動作させる清掃判定手段を備えたものであり、通常は屋内側への給気を行い、集塵フィルタ清掃終了後の塵埃を排出する間は屋外側への排気を行い、塵埃排出終了後、屋内側への給気を行う送風機により、通常は屋内側への給気を行い、運転時間計測手段と定期清掃判定手段により集塵フィルタの目詰まりが発生しないよう、また、塵埃が少なく目詰まり判定手段にて目詰まりしているという判定に至る経過時間が長くなった際など塵埃がこびりついて除去し辛くなるのを防ぐよう定期的に集塵フィルタ清掃手段により清掃を行うことができるという作用を有する。
【００９９】
また、取り込んだ外気の塵埃が急激に増加し集塵フィルタが目詰まりした際にも、集塵フィルタ目詰まり検出手段と目詰まり判定手段により、前記集塵フィルタが目詰まりしていると判定し前記集塵フィルタ清掃手段により清掃を行うことができるという作用を有する。
【０１００】
さらに、集塵フィルタ清掃終了後には、前記送風機により屋外側へ塵埃の排出を行うことができ、塵埃排出終了後には、通常の屋内側への給気を行うことができるという作用を有する。
【０１０１】
また、前記送風機は通風路内の前記集塵フィルタの下流側、すなわち塵埃を除去された空間内にあるため塵埃による劣化の可能性が少なく、塵埃排出用の排出路および送風機を必要としない、また、集塵フィルタのメンテナンス不要な換気送風装置を提供できるという作用を有する。
【０１０２】
以下、本発明の実施の形態について図面を参照しながら説明する。
【０１０３】
（実施の形態１）
本発明の実施の形態１の屋内空気の換気送風を行う換気送風装置について図１、図２、図３、図４、図５、図６、図７を参照しながら説明する。
【０１０４】
図１、図２、図３、図４は換気送風装置の給気側主要断面図であり、図１は通常の給気動作時の状態を示し、図２は集塵フィルタ清掃開始時の状態を示し、図３は集塵フィルタ清掃終了時の状態を示し、図４は塵埃排出時の状態を示す。
【０１０５】
図１に示すように、本発明の実施の形態１の換気送風装置は、外気を屋内に導く通風路１と、前記通風路１に導かれた外気に含まれる塵埃を集塵する集塵フィルタ２と、集塵された塵埃を除去する集塵フィルタ清掃手段３と、送風機６により構成され、前記送風機６は、通常は屋内側４への給気を行い、集塵フィルタ清掃終了後の塵埃を排出する間は屋外側５への排気を行い、塵埃排出終了後、屋内側４への給気を行うことを特徴としている。
【０１０６】
屋内空気とはビルや戸建住宅等の建物内の所定空間の空気をいい、外気は前記屋内空気以外の空気をいう。
【０１０７】
上記構成からなる換気送風装置の一連の動作について図１、図２、図３、図４を参照しながら説明する。
【０１０８】
まず、図１のように通常の給気動作の状態では、外気は、前記送風機６によって、集塵手段である前記集塵フィルタ２により塵埃を除去された後、前記送風機６を通過して、屋内側４へ給気される。図中の白抜きの矢印は気流を示す。
【０１０９】
次に、図２のように集塵フィルタ２に塵埃が蓄積され、集塵フィルタ２の清掃を行う際には、上記の給気動作を停止させるべく前記電動機６ａの回転停止を行う。次に、前記集塵フィルタ清掃手段３が前記集塵フィルタ２の上端から下端に向かって移動することにより塵埃を掃き落とす。
【０１１０】
また、図３のように前記集塵フィルタ２の清掃が終了した際には、掃き落とされた塵埃７が前記集塵フィルタ２の上流側に蓄積され、前記集塵フィルタ清掃手段３は前記集塵フィルタ２の上端に戻る。
【０１１１】
さらに、図４のように塵埃排出動作の状態では、回転手段である前記電動機６ａを逆回転（図４中ＣＣＷ）させることで送風方向を逆転、つまり排気動作させる。従って前記集塵フィルタ清掃手段３により前記集塵フィルタ２から掃き落とされた塵埃７を屋内から屋外に向かって一定時間排出し、塵埃の排出が完了した際には、前記電動機６ａの逆回転停止後、通常の給気動作を再開すべく前記電動機６ａを正転（図１中ＣＷ）させ、図１の給気動作の状態に戻る。
【０１１２】
通風路１は建物内部の配管に使用されるダクトである。
【０１１３】
集塵フィルタ２は高圧放電により塵埃を帯電させ、集塵極に捕集する電気集塵式の集塵フィルタである。
【０１１４】
集塵フィルタ清掃手段３について図５、図６を参照しながら説明する。図５は集塵フィルタ清掃手段主要断面図であり、図６は同じく通風路１の屋外側５から見た集塵フィルタ清掃手段主要断面図である。
【０１１５】
集塵フィルタ清掃手段３は図５、図６に示すように、集塵フィルタ２に蓄積された塵埃を直接掃き落とすブラシ８と、前記ブラシ８を回転させるブラシ回転装置９と、前記ブラシ回転装置９を前記集塵フィルタ２の上端から下端、また、下端から上端へ移動させるブラシ回転装置移動手段１０により構成される。
【０１１６】
前記ブラシ回転装置９は装置内部にブラシ回転手段である電動機９ａを備え、また、電動機９ａの出力軸であるブラシ回転軸９ｂを備えている。
【０１１７】
前記ブラシ８は前記ブラシ回転軸９ｂに固定されており、前記電動機９ａの回転方向に沿って回転することとなる。
【０１１８】
前記ブラシ回転装置移動手段１０は前記ブラシ回転装置９を前記集塵フィルタ２の上端から下端、また、下端から上端を移動できるように前記ブラシ回転装置９の内部を貫通するブラシ回転装置ガイドレール１０ａと、前記ブラシ回転装置９に固定されたベルト１０ｂと、ベルトを回転することにより前記ブラシ回転装置９を上下移動させるベルト送り手段１０ｃにより構成される。
【０１１９】
ベルト送り手段１０ｃは回転することでベルトを送るプーリ１０ｄと、プーリ回転軸１０ｅと、回転手段である電動機１０ｆを備えており、プーリ回転軸１０ｅは電動機１０ｆの出力軸である。前記プーリ１０ｄはプーリ回転軸１０ｅに固定されている。よって、前記ブラシ回転装置移動手段１０は電動機１０ｆが逆転（図５中１０ｅ周辺の矢印、反時計回り方向）した際には前記ブラシ回転装置９を前記集塵フィルタ２の上端から下端に移動させ、また、正転（図５中１０ｅ周辺の矢印、時計回り方向）した際には前記ブラシ回転装置９を前記集塵フィルタ２の下端から上端へ移動させることになる。
【０１２０】
従って、集塵フィルタ清掃手段３は集塵フィルタ２の清掃開始時にブラシ８をブラシ回転装置９により回転することで前記集塵フィルタ２に蓄積された塵埃を掃き落としながら前記集塵フィルタ２の上端から下端を前記ブラシ回転装置ガイドレール１０ａに沿って移動し、前記集塵フィルタ２の清掃終了時は前記集塵フィルタ２の下端から上端を前記ブラシ回転装置ガイドレール１０ａに沿って移動することとなる。
【０１２１】
送風機６は回転手段である電動機６ａと、前記電動機６ａによって回転する送風手段であるファン６ｂにより構成される。
【０１２２】
前記電動機６ａは通常は給気、集塵フィルタ清掃時には排気できるように正転、逆転可能な電動機、例えばリバーシブルモータなどである。
【０１２３】
前記電動機６ａの正転、逆転の回路例について図７に示す。図７に示すように、交流電源Ｓ１を電源とし、半導体スイッチであるソリッドステートリレーＳＳＲ１、ＳＳＲ２を用い、制御信号Ｐ１、Ｐ２により、主巻線Ｌ１と補助巻線Ｌ２の相間コンデンサＣ１の結合を切り換えることにより前記電動機６ａのロータＲ１の正転（図中ＣＷ）、逆転（図中ＣＣＷ）を行う方法である。
【０１２４】
上記構成により、換気送風装置は、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、集塵フィルタ２の清掃時には、集塵された塵埃を除去する集塵フィルタ清掃手段３により清掃を行うことができる。
【０１２５】
また、集塵フィルタ清掃終了後には、前記送風機６により屋外側５へ塵埃の排出を行うことができ、塵埃排出終了後には、通常の屋内側４への給気を行うことができる。
【０１２６】
さらに、前記送風機６は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０１２７】
なお、実施の形態１では集塵フィルタ２は、電気集塵式による集塵フィルタであったが、静電フィルタ式、機械ろ過式など、集塵方式に限定されず、その作用効果に差異を生じない。
【０１２８】
なお、実施の形態１では集塵フィルタ清掃手段３は、ブラシ８と、ブラシ回転装置９と、ブラシ回転装置移動手段１０による構成で、前記ブラシ回転装置９に固定されたベルトを送ることで集塵フィルタ２の上端から下端、また、下端から上端への移動を行っていたが、上記のようなベルト送りによるブラシ回転装置移動手段１０に替えてリニアモータなどを用いた移動でもよく、前記ブラシ回転装置９の移動手段は限定されず、その作用効果に差異を生じない。
【０１２９】
なお、実施の形態１では電動機６ａは、通常は給気、集塵フィルタ清掃時には排気できるように正転、逆転可能な電動機としてリバーシブルモータを使用した例で説明したが、図８の回路例に示すように、交流電源Ｓ２と、互いに逆方向となるように接続された整流素子としてのダイオードＤ１、Ｄ２と、直流電動機Ｍ１と前記直流電動機Ｍ１の回転方向を切り換える切換手段としてのスイッチＳＷ１を備えた構成により、通常（給気動作）時は正転（図中ＣＷ）側に、また、集塵フィルタ清掃終了後の塵埃排出（排気動作）時は逆転（ＣＣＷ）側に切り換えることで、前記直流電動機Ｍ１を正転、逆転可能とすることができる。
【０１３０】
従って、条件（給気、排気）に基づき気流を逆方向にすることができればよく、電動機の種別や回路方式に限定されず、その作用効果に差異を生じない。
【０１３１】
このように本発明の実施の形態１の換気送風装置によれば、通常は屋内側４への給気を行い、集塵フィルタ清掃終了後の塵埃を排出する間は屋外側５への排気を行い、塵埃排出終了後、屋内側４への給気を行う送風機６により屋内側４への給気を行い、集塵フィルタ２の清掃時には、集塵された塵埃を除去する集塵フィルタ清掃手段３により清掃を行うことができる。
【０１３２】
また、集塵フィルタ清掃終了後には、前記送風機６により屋外側５へ塵埃の排出を行うことができ、塵埃排出終了後には、通常の屋内側４への給気を行うことができる。
【０１３３】
さらに、前記送風機６は塵埃による劣化の可能性が少なく、塵埃排出用の排出路および送風機を必要としない、また、集塵フィルタ２のメンテナンス不要な換気送風装置を提供できる。
【０１３４】
（実施の形態２）
次に、本発明の実施の形態２の屋内空気の換気送風を行う換気送風装置について図９、図１０、図１１、図１２を参照しながら説明する。なお、上記実施の形態１の構成要素と同じ構成要素には、同一番号を付し、その詳細な説明は省略する。図９は換気送風装置の給気側主要断面図を示す。
【０１３５】
図９に示すように、本発明の実施の形態２の換気送風装置は、外気を屋内に導く通風路１内の集塵フィルタ２の下流側に通風路１内の風速または風量を検出する風速風量検出手段１１と、前記風速風量検出手段１１により検出された風速または風量と所定風量を比較する事により前記集塵フィルタ２の目詰まり判定を行い、判定結果に基づき集塵フィルタ清掃手段３を動作させる目詰まり判定手段１２を備えている。
【０１３６】
風速風量検出手段１１の構成について図１０を参照しながら説明する。図１０に示すように、風速検知手段１３としての熱式風速計１３ａと、前記熱式風速計１３ａにより検出した風速と熱式風速計１３ａの設置箇所により決定される有効開口断面積情報１３ｂを入力とし、風量を演算する風量演算手段１３ｃにより構成されている。
【０１３７】
次に、風量演算手段１３ｃのフローチャートについて図１１を参照しながら説明する。図１１に示すように、風量演算手段１３ｃは、風で冷却されたときに生じる電気抵抗の変化から風速を検出する熱式風速計１３ａからの風速情報を入力する。次に予め設定、記憶しておいた熱式風速計１３ａの設置箇所における有効開口断面積情報１３ｂを読み出し、風速と有効開口断面積を掛け合わせることで風量を演算する。
【０１３８】
所定風量は集塵フィルタ２の目詰まりを判定する為に用いるしきい値である。
【０１３９】
目詰まり判定手段１２について図１２のフローチャートを参照しながら説明する。
【０１４０】
図１２に示すように、まず、前記風速風量検出手段１１により検出された風量Ｖｓを入力する。次に予め設定、記憶しておいた所定風量Ｖｏを読み出し、前記風量Ｖｓを前記所定風量Ｖｏで除算することにより比率を演算する。なお、前記所定風量Ｖｏは前記集塵フィルタ２に塵埃が付着していない状態において正常に給気動作がなされた場合の前記通風路１を通る風量である。ステップＳ００１において、比率Ａ％、例えば６０％未満である場合には、前記集塵フィルタ２に塵埃が蓄積され目詰まり状態となったことにより換気能力が低下したと判断し、通常の給気動作を停止し、前記集塵フィルタ２の清掃を行うべく前記集塵フィルタ清掃手段３を動作させる。また、前記集塵フィルタ２の清掃が完了した際には、前記集塵フィルタ清掃手段３により前記集塵フィルタ２から掃き落とされた塵埃７を屋内から屋外に向かって一定時間排出する。塵埃排出が完了した際には、通常の給気動作を行う。前記ステップＳ００１において、比率が６０％以上である場合には、集塵フィルタ２に塵埃が蓄積されていない状態と判断し、通常の給気動作を行う。
【０１４１】
上記構成により、換気送風装置は、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、風速風量検出手段１１と目詰まり判定手段１２により、集塵フィルタ２の目詰まりを風速風量の変化により判定でき、集塵フィルタ２が目詰まりしていると判定された際には、集塵された塵埃を除去する集塵フィルタ清掃手段３により清掃を行うことができる。
【０１４２】
また、集塵フィルタ清掃終了後には、前記送風機６により屋外側５へ塵埃の排出を行うことができ、塵埃排出終了後には、通常の屋内側４への給気を行うことができる。
【０１４３】
さらに、前記送風機６は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０１４４】
なお、実施の形態２では、集塵フィルタ２の目詰まり判定手段１２の判定方法を風速風量検出手段１１により検出された風量Ｖｓと予め設定、記憶しておいた所定風量Ｖｏの比率により集塵フィルタ２の目詰まりを判定する方法としたが、この判定方法に替えて、前記風量Ｖｓと前記所定風量Ｖｏの偏差により前記集塵フィルタ２の目詰まりを判定する方法、あるいは前記風量Ｖｓとマイコン制御などにより設定された風量指令値との比率または偏差により前記集塵フィルタ２の目詰まりを判定する方法、あるいは単位時間あたりの風量変動値と所定風量変動値との比率または偏差により集塵フィルタ２の目詰まりを判定する方法、さらにはある風量から目的の風量に達するまでの所要時間と所定所要時間との比率または偏差により前記集塵フィルタ２の目詰まりを判定する方法であってもよく、前記目詰まり判定手段１２は判定方法に限定されず、その作用効果に差異を生じない。
【０１４５】
なお、実施の形態２では、風速風量検出手段１１は風速検知手段１３としての熱式風速計１３ａと、有効開口断面積情報１３ｂと、風量演算手段１３ｃにより構成しているが、この構成に限定されず、また、配置についても本実施の形態では一体化した形態の構成を説明してあるが、それぞれ別々に配置された場合でも、その作用効果に差異を生じない。
【０１４６】
なお、実施の形態２では、風速検知手段１３として熱式風速計１３ａを用いたが、前記熱式風速計１３ａに替えて超音波式風速計や翼車式風速計、あるいはピトー管式風速計などを用いてもよく、前記風速検知手段１３は前記熱式風速計１３ａに限定されず、その作用効果に差異を生じない。
【０１４７】
なお、有効開口断面積情報１３ｂは外部入力するように構成し、外部入力により有効開口断面積を入力する構成であっても、また、機種ごとに風速検知手段１３の配置箇所が決まっていて有効開口断面積があらかじめ明確な場合に記憶装置、例えばＲＯＭなどに有効開口断面積を記憶させ、機種判別することにより前記ＲＯＭから前記有効開口断面積情報１３ｂを得る構成であっても、前記有効開口断面積情報１３ｂの取得方法は限定されず、その作用効果に差異を生じない。
【０１４８】
なお、実施の形態２では、風速風量検出手段１１を用いて風量変化に基づき前記集塵フィルタ２の目詰まり判定を行ったが、風速風量検出手段１１に替えて圧力検出手段である圧力センサ１４（図示せず）を用いて圧力変化に基づき前記集塵フィルタ２の目詰まり判定を行ってもよく、その作用効果に差異を生じない。
【０１４９】
また、圧力センサ１４は、ブルドン管式圧力センサなど機械式によるもの、また、圧力を受ける薄板上に抵抗体が配置され、圧力を受けて薄板が撓むときに生じる歪みを、抵抗体の抵抗値の変化として検出する抵抗式によるもの、さらに、圧力を受けて変位する電極板を可動電極、圧力によって変位しない電極板を固定電極とし、これらの電極でキャパシタを形成し、可動電極と固定電極との距離の変化を静電容量変化として検出する静電容量式によるもの、また、圧力を受ける板の表面、あるいは板から機械的に連結されて力を受ける物体に振動子を形成し、励振させ、板に圧力が加わり振動子の長手方向の張力に変化が生じると、振動子の固有振動数が変化し、このとき振動子の振動数変化として検出する振動式によるものであってもよく、前記圧力センサ１４の検出方式に限定されず、その作用効果に差異を生じない。
【０１５０】
なお、所定風量Ｖｏは外部入力するように構成し、外部入力により前記所定風量Ｖｏを入力する構成であっても、また、機種ごとに前記所定風量Ｖｏが予め明確な場合に記憶装置、例えばＲＯＭなどに前記所定風量Ｖｏを記憶させ、機種判別することにより前記ＲＯＭから前記所定風量Ｖｏを得る構成であっても、前記所定風量Ｖｏの取得方法は限定されず、その作用効果に差異を生じない。
【０１５１】
このように本発明の実施の形態２の換気送風装置によれば、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、風速風量検出手段１１と目詰まり判定手段１２により、集塵フィルタ２の目詰まりを風速風量の変化により判定でき、集塵フィルタ２が目詰まりしていると判定された際には、集塵された塵埃を除去する集塵フィルタ清掃手段３により清掃を行うことができる。
【０１５２】
また、集塵フィルタ清掃終了後には、前記送風機６により屋外側５へ塵埃の排出を行うことができ、塵埃排出終了後には、通常の屋内側４への給気を行うことができる。
【０１５３】
さらに、前記送風機６は塵埃による劣化の可能性が少なく、塵埃排出用の排出路および送風機を必要としない、また、集塵フィルタ２のメンテナンス不要な換気送風装置を提供できる。
【０１５４】
（実施の形態３）
次に、本発明の実施の形態３の換気送風装置について、図１３、図１４、図１５を参照しながら説明する。なお、上記実施の形態１、２の構成要素と同じ構成要素には、同一番号を付し、その詳細な説明は省略する。図１３に示すように、換気送風装置は送風機６の回転数を検出する回転数検出手段１５と、前記回転数検出手段１５により検出された回転数と所定回転数を比較することにより、集塵フィルタ２の目詰まり判定を行い、判定結果に基づき集塵フィルタ清掃手段３を動作させる集塵フィルタ２の目詰まり判定手段１２を備えている。
【０１５５】
回転数検出手段１５の構成について、図１４を参照しながら説明する。図１４に示すように、回転数検出手段１５は、回転する前記ファン６ｂに向けて光を発光する発光部１５ａと、ファン６ｂの１箇所に固定した反射板１５ｂと、反射した光を受光し、かつ受光回数をカウントするカウント部１５ｃと、カウント数から回転数を演算する回転数演算部１５ｄにより構成される。本構成により、発光部１５ａにより発光した光が１回転毎に反射板１５ｂにより反射し、反射した光をカウント部１５ｃで受け、かつカウントすることにより、単位時間当たりのカウント数、すなわち回転数を得ることができる。
【０１５６】
所定回転数は集塵フィルタ２の目詰まりを判定する為に用いるしきい値である。
【０１５７】
目詰まり判定手段１２について、図１５のフローチャートを参照しながら説明する。図１５に示すように、まず、前記回転数検出手段１５により検出された回転数Ｎｓを入力する。次に、所定回転数として換気送風装置のマイコン制御などによる回転数指令値Ｎｏを入力し、前記回転数指令値Ｎｏと前記回転数Ｎｓとの減算を行い、回転数の偏差を求める。ステップＳ００２において、回転数の偏差がＮａ以上である場合には、集塵フィルタ２に塵埃が蓄積され目詰まり状態となったことにより換気能力が低下したと判断し、前記集塵フィルタ２の清掃を行うべく前記集塵フィルタ清掃手段３を動作させる。また、前記集塵フィルタ２の清掃が完了した際には、前記集塵フィルタ清掃手段３により前記集塵フィルタ２から掃き落とされた塵埃７を屋内から屋外に向かって一定時間排出する。塵埃排出が完了した際には、通常の給気動作を行う。前記ステップＳ００２において、回転数の偏差がＮａ未満である場合には、集塵フィルタ２に塵埃が蓄積されていない状態と判断し、通常の給気動作を行う。
【０１５８】
上記構成により、換気送風装置は、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、回転数検出手段１５と目詰まり判定手段１２により、集塵フィルタ２の目詰まりを送風機６の回転数変化により判定でき、集塵フィルタ２が目詰まりしていると判定された際には、集塵された塵埃を除去する集塵フィルタ清掃手段３により清掃を行うことができる。
【０１５９】
また、集塵フィルタ清掃終了後には、前記送風機６により屋外側５へ塵埃の排出を行うことができ、塵埃排出終了後には、通常の屋内側４への給気を行うことができる。
【０１６０】
さらに、前記送風機６は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０１６１】
なお、実施の形態３では、集塵フィルタ２の目詰まり判定手段１２の判定方法をマイコン制御などにより設定された回転数指令値Ｎｏと現在の回転数Ｎｓとの偏差により集塵フィルタ２の目詰まりを判定する方法としたが、この判定方法に替えて、換気装置設置時の回転数と現在の回転数との偏差または比率により前記集塵フィルタ２の目詰まりを判定する方法、あるいは単位時間あたりの回転数変動値と所定回転数変動値との偏差または比率により前記集塵フィルタ２の目詰まりを判定する方法、さらにはある回転数から目的の回転数に達するまでの所要時間と所定所要時間との偏差または比率により前記集塵フィルタ２の目詰まりを判定する方法であってもよく、前記目詰まり判定手段１２は判定方法に限定されず、その作用効果に差異を生じない。
【０１６２】
なお、実施の形態３では、集塵フィルタ２の目詰まり判定手段１２の判定方法をマイコン制御などにより設定された回転数指令値と現在の回転数との偏差により前記集塵フィルタ２の目詰まりを判定する方法としたが、予め設定、記憶しておいた前記集塵フィルタ２に塵埃が付着していない状態において正常に給気動作がなされた場合の回転数Ｎｔ（以下、正常給気動作時の回転数Ｎｔと略す）を読み出し、現在の回転数Ｎｓとの比率（Ｎｓ／Ｎｔ）または偏差（Ｎｔ−Ｎｓ）により前記集塵フィルタ２の目詰まりを判定する方法としてもよく、前記目詰まり判定手段１２は判定方法に限定されず、その作用効果に差異を生じない。
【０１６３】
また、前記正常給気動作時の回転数Ｎｔは外部入力するように構成し、外部入力により前記正常給気動作時の回転数Ｎｔを入力する構成であっても、また、機種ごとに前記正常給気動作時の回転数Ｎｔが予め明確な場合に記憶装置、例えばＲＯＭなどに前記正常給気動作時の回転数Ｎｔを記憶させ、機種判別することにより前記ＲＯＭから前記正常給気動作時の回転数Ｎｔを得る構成であっても、前記正常給気動作時の回転数Ｎｔの取得方法は限定されず、その作用効果に差異を生じない。
【０１６４】
なお、実施の形態３では、回転数検出手段１５としてロータリエンコーダを一例として挙げたが、前記回転数検出手段１５の構成や回転数の検出方式に限定されず、その作用効果に差異を生じない。
【０１６５】
このように本発明の実施の形態３の換気送風装置によれば、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、回転数検出手段１５と目詰まり判定手段１２により、集塵フィルタ２の目詰まりを送風機６の回転数の変化により判定でき、集塵フィルタ２が目詰まりしていると判定された際には、集塵された塵埃を除去する集塵フィルタ清掃手段３により清掃を行うことができる。
【０１６６】
また、集塵フィルタ清掃終了後には、前記送風機６により屋外側５へ塵埃の排出を行うことができ、塵埃排出終了後には、通常の屋内側４への給気を行うことができる。
【０１６７】
さらに、前記送風機６は塵埃による劣化の可能性が少なく、塵埃排出用の排出路および送風機を必要としない、また、集塵フィルタ２のメンテナンス不要な換気送風装置を提供できる。
【０１６８】
（実施の形態４）
次に、本発明の実施の形態４の換気送風装置について、図１６、図１７を参照しながら説明する。なお、上記実施の形態１、２、３の構成要素と同じ構成要素には、同一番号を付し、その詳細な説明は省略する。図１６に示すように、換気送風装置の運転時間を計測する運転時間計測手段１６と、前記運転時間計測手段１６により計測された運転時間と所定時間を比較する事により集塵フィルタ２の清掃を行うか否かを判定する定期清掃判定手段１７とを備えている。
【０１６９】
運転時間計測手段１６は、例えば、マイコンのクロックおよび分周比を利用したタイマカウンタ処理である。タイマカウンタ処理について説明する。なお、マイコンのクロックは４メガヘルツ、分周比は３２分周とする。クロックが４メガヘルツ、３２分周なので８マイクロ秒間隔の計測、８マイクロ秒カウントタイマが実現できる。この８マイクロ秒カウントタイマを基に１２５回カウントで１ミリ秒なので１ミリ秒カウントタイマが実現できる。同様にして、１ミリ秒カウントタイマを基に１０００回カウントで１秒なので１秒カウントタイマ、１秒カウントタイマを基に６０回カウントで１分なので１分カウントタイマ、１分カウントタイマを基に６０回カウントで１時間なので１時間カウントタイマが実現できる。カウントを開始すると各々の間隔でカウントを行うことになり、カウント値を読み出すことで現在の運転時間が得られる。
【０１７０】
所定時間は集塵フィルタ２の目詰まりを判定する為に用いるしきい値である。
【０１７１】
定期清掃判定手段１７について、図１７のフローチャートを参照しながら説明する。図１７に示すように、まず、前記運転時間計測手段１６により計測された運転時間を入力する。次に、所定時間として例えば集塵フィルタ清掃の目安として６０日（＝１４４０時間）を入力する。ステップＳ００３において、前記運転時間が前記所定時間の１４４０時間以上である場合には、集塵フィルタ２の定期清掃を行うと判断し、前記集塵フィルタ２の清掃を行うべく集塵フィルタ清掃手段３を動作させる。また、前記集塵フィルタ２の清掃が完了した際には、前記集塵フィルタ清掃手段３により前記集塵フィルタ２から掃き落とされた塵埃７を屋内から屋外に向かって一定時間排出する。塵埃排出が完了した際には、通常の給気動作を行い、前記運転時間計測手段１６により計測された運転時間をリセットし、前記タイマカウンタ処理の再開を行う。前記ステップＳ００３において、前記運転時間が前記所定時間の１４４０時間未満である場合には、集塵フィルタ２の定期清掃を行わないと判断し、通常の給気動作を行う。
【０１７２】
上記構成により、換気送風装置は、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、運転時間計測手段１６と定期清掃判定手段１７により、集塵フィルタ２の目詰まりが発生しないよう定期的に集塵フィルタ清掃手段３により清掃を行うことができる。
【０１７３】
また、集塵フィルタ清掃終了後には、前記送風機６により屋外側５へ塵埃の排出を行うことができ、塵埃排出終了後には、通常の屋内側４への給気を行うことができる。
【０１７４】
さらに、前記送風機６は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０１７５】
なお、実施の形態４では、運転時間計測手段１６はマイコンのクロックを利用したタイマカウンタ処理としたが、交流電源のゼロクロス周期を利用したタイマカウンタ処理や、機械式のタイマであってもよく、タイマカウンタ処理方法に限定されず、その作用効果に差異を生じない。
【０１７６】
なお、実施の形態４では、運転時間計測手段１６のマイコンカウンタ処理をカウント値が上昇するアップカウンタで行ったが、カウント値が下降するダウンカウンタでもよく、タイマカウンタ処理のカウント方向に限定されず、その作用効果に差異を生じない。
【０１７７】
このように、本発明の実施の形態４の換気送風装置によれば、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、運転時間計測手段１６と定期清掃判定手段１７により、集塵フィルタ２の目詰まりが発生しないよう定期的に集塵フィルタ清掃手段３により清掃を行うことができる。
【０１７８】
また、集塵フィルタ清掃終了後には、前記送風機６により屋外側５へ塵埃の排出を行うことができ、塵埃排出終了後には、通常の屋内側４への給気を行うことができる。
【０１７９】
さらに、前記送風機６は塵埃による劣化の可能性が少なく、塵埃排出用の排出路および送風機を必要としない、また、集塵フィルタ２のメンテナンス不要な換気送風装置を提供できる。
【０１８０】
（実施の形態５）
次に、本発明の実施の形態５の換気送風装置について、図１８、図１９、図２０を参照しながら説明する。なお、上記実施の形態１、２、３、４の構成要素と同じ構成要素には、同一番号を付し、その詳細な説明は省略する。図１８は、換気送風装置の給気側主要断面図を示し、図１９は図１８中のＡからみた図（通風路１内の集塵フィルタ２の下流側から送風機１８を正面にみた図）を示し、図２０は図１８中のＢから見た図（通風路１内の送風機１８を真下からみた図）を示す。
【０１８１】
図１８に示すように、通常は屋内側４への給気を行い、集塵フィルタ清掃終了後の塵埃を排出する間は屋外側５への排気を行い、塵埃排出終了後、屋内側への給気を行う送風機６に替えて、片方向のみの送風を行う送風機１８と、送風方向を逆転させる送風機送風方向変更手段１９を備えている。
【０１８２】
片方向のみの送風を行う送風機１８は、電動機１８ａと、ファン１８ｂと、送風機取付枠１８ｃと、送風機回転軸１８ｄにより構成される。送風機取付枠１８ｃは、アルミ製シャーシであり、天面部と下面部に送風機回転軸１８ｄが固定されている。送風機回転軸１８ｄは、図１９、図２０に示すように通風路１の中心を軸として回転するよう通風路１の天面部および下面部に取り付けられている。
【０１８３】
送風機送風方向変更手段１９は、回転手段、例えば電動機１９ａであり、電動機１９ａの出力軸は、送風機回転軸１８ｄに接続されている。従って、電動機１９ａが回転することにより、送風機取付枠１８ｃ、つまり、送風機１８の送風方向を変更すべく回転することとなる。
【０１８４】
送風機送風方向変更手段１９の集塵フィルタ清掃時の動作について説明する。なお、集塵フィルタ清掃までのフローについては図１２、図１５、図１７と同様であるので省略する。目詰まり判定手段１２の判定結果により、集塵フィルタ２の清掃を行う際には、まず、通常動作である屋内側４への給気動作を停止すべく、前記電動機１８ａの回転を停止する。次に、集塵フィルタ清掃手段３により前記集塵フィルタ２の清掃を行う。前記集塵フィルタ２の清掃終了後、送風機送風方向変更手段１９により、屋内側４から屋外側５へ送風されるよう送風方向を変更する。送風方向変更後、前記集塵フィルタ清掃手段３により掃き落とされた塵埃７を屋外側５へ排出すべく一定時間前記電動機１８ａを回転させる。塵埃排出完了後、前記電動機１８ａの回転を停止し、前記送風機送風方向変更手段１９により、屋外側５から屋内側４へ送風されるよう送風方向を変更する。送風方向変更後、通常動作である屋内側４への給気動作を再開すべく前記電動機１８ａを回転させる。
【０１８５】
上記構成により、換気送風装置は、屋内側４への給気を行う送風機１８により、通常は屋内側４への給気を行い、集塵フィルタ２の清掃時には、集塵された塵埃を除去する集塵フィルタ清掃手段３により清掃を行うことができる。
【０１８６】
また、集塵フィルタ清掃終了後には、送風機送風方向変更手段１９により送風方向を屋外側５へ変更し、前記送風機１８により屋外側５へ塵埃の排出を行うことができ、塵埃排出終了後には、前記送風機送風方向変更手段１９により送風方向を屋内側４へ変更し、通常の屋内側４への給気を行うことができる。
【０１８７】
さらに、前記送風機１８は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０１８８】
なお、実施の形態５では、送風機取付枠１８ｃは、アルミ製シャーシとしたが、鉄系、ステンレス系の金属、あるいはプラスチック系でもよく、材質に限定されず、その作用効果に差異を生じない。
【０１８９】
なお、実施の形態５では、目詰まり判定手段１２は、風速風量検出手段１１による風速風量検出値に基づくものでも、回転数検出手段１５による回転数検出値に基づくものであってもよく、集塵フィルタ２の目詰まりを検知できれば方法などは限定されず、その作用効果に差異を生じない。
【０１９０】
なお、実施の形態５では、集塵フィルタ２の清掃を行うか否かの判定に目詰まり判定手段１２を用いたが、運転時間から定期的に集塵フィルタ２の清掃を行うと判定する定期清掃判定手段１７であってもよく、その作用効果に差異を生じない。
【０１９１】
このように、本発明の実施の形態５の換気送風装置によれば、屋内側４への給気を行う送風機１８により、通常は屋内側４への給気を行い、集塵フィルタ２の清掃時には、集塵された塵埃を除去する集塵フィルタ清掃手段３により清掃を行うことができる。
【０１９２】
また、集塵フィルタ清掃終了後には、送風機送風方向変更手段１９により送風方向を屋外側５へ変更し、前記送風機１８により屋外側５へ塵埃の排出を行うことができ、塵埃排出終了後には、前記送風機送風方向変更手段１９により送風方向を屋内側４へ変更し、通常の屋内側４への給気を行うことができる。
【０１９３】
さらに、前記送風機１８は塵埃による劣化の可能性が少なく、塵埃排出用の排出路および送風機を必要としない、また、集塵フィルタ２のメンテナンス不要な換気送風装置を提供できる。
【０１９４】
（実施の形態６）
次に、本発明の実施の形態６の換気送風装置について、図２１を参照しながら説明する。なお、上記実施の形態１、２、３、４、５の構成要素と同じ構成要素には、同一番号を付し、その詳細な説明は省略する。図２１に示すように、通常は屋内側４への給気を行い、集塵フィルタ清掃終了後の塵埃を排出する間は屋外側５への排気を行い、塵埃排出終了後、屋内側への給気を行う送風機６に替えて、片方向のみの送風を行う送風機２０を２台備え、互いに送風方向が逆方向になるよう配置している。
【０１９５】
片方向のみの送風を行う送風機２０は、屋外側５から屋内側４への給気を行う給気用送風機２０ａと、屋内側４から屋外側５への排気を行う排気用送風機２０ｂにより構成される。
【０１９６】
集塵フィルタ清掃時の動作について説明する。なお、集塵フィルタ清掃までのフローについては図１２、図１５、図１７と同様であるので省略する。目詰まり判定手段１２の判定結果により、集塵フィルタ２の清掃を行う際には、まず、通常動作である屋内側４への給気動作を停止すべく前記給気用送風機２０ａを停止する。次に、集塵フィルタ清掃手段３により前記集塵フィルタ２の清掃を行う。前記集塵フィルタ２の清掃終了後、前記集塵フィルタ清掃手段３により掃き落とされた塵埃７を屋外側５へ排出すべく一定時間前記排気用送風機２０ｂを運転する。塵埃排出完了後、前記排気用送風機２０ｂの運転を停止し、通常動作である屋内側４への給気動作を再開すべく前記給気用送風機２０ａを運転する。
【０１９７】
上記構成により、換気送風装置は、屋内側４への給気を行う給気用送風機２０ａにより、通常は屋内側４への給気を行い、集塵フィルタ２の清掃時には、集塵された塵埃を除去する集塵フィルタ清掃手段３により清掃を行うことができる。
【０１９８】
また、集塵フィルタ清掃終了後には、屋外側５への排気を行う排気用送風機２０ｂにより屋外側５へ塵埃の排出を行うことができ、塵埃排出終了後には、屋内側４への給気を行う給気用送風機２０ａにより、通常の屋内側４への給気を行うことができる。
【０１９９】
さらに、前記送風機２０は通風路１内の前記集塵フィルタ２の下流側、すなわち塵埃を除去された空間内にあるため塵埃による劣化の可能性が少なく、塵埃排出用の排出路を必要とせずに、また、集塵フィルタ２のメンテナンスを必要とせずに行うこととなる。
【０２００】
なお、実施の形態６では、目詰まり判定手段１２は、風速風量検出手段１１による風速風量検出値に基づくものでも、回転数検出手段１５による回転数検出値に基づくものであっても、集塵フィルタ２の目詰まりを検知できれば方法などは限定されず、その作用効果に差異を生じない。
【０２０１】
なお、実施の形態６では、集塵フィルタ２の清掃を行うか否かの判定に目詰まり判定手段１２を用いたが、運転時間から定期的に集塵フィルタ２の清掃を行うと判定する定期清掃判定手段１７であってもよく、その作用効果に差異を生じない。
【０２０２】
このように、本発明の実施の形態６の換気送風装置によれば、屋内側４への給気を行う給気用送風機２０ａにより、通常は屋内側４への給気を行い、集塵フィルタ２の清掃時には、集塵された塵埃を除去する集塵フィルタ清掃手段３により清掃を行うことができる。
【０２０３】
また、集塵フィルタ清掃終了後には、屋外側５への排気を行う排気用送風機２０ｂにより屋外側５へ塵埃の排出を行うことができ、塵埃排出終了後には、屋内側４への給気を行う給気用送風機２０ａにより、通常の屋内側４への給気を行うことができる。
【０２０４】
さらに、前記送風機２０は塵埃による劣化の可能性が少なく、塵埃排出用の排出路を必要としない、また、集塵フィルタ２のメンテナンス不要な換気送風装置を提供できる。
【０２０５】
（実施の形態７）
次に、本発明の実施の形態７の換気送風装置について、図２２を参照しながら説明する。なお、上記実施の形態１、２、３、４、５、６の構成要素と同じ構成要素には、同一番号を付し、その詳細な説明は省略する。図２２に示すように、集塵フィルタ清掃手段３に替えて、集塵フィルタ２を振動させて集塵された塵埃を除去する集塵フィルタ振動手段２１を備えている。
【０２０６】
集塵フィルタ振動手段２１は、集塵フィルタ２を固定し、ピストン振動させる装置であり、目詰まり判定手段１２の判定結果に基づき集塵フィルタ清掃時には通風路１に対し垂直方向に振動し、集塵された塵埃を除去する。
【０２０７】
上記構成により、換気送風装置は、集塵フィルタ振動手段２１により集塵フィルタ２を振動させて集塵された塵埃を除去することができ、また、送風機６は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０２０８】
なお、実施の形態７では、集塵フィルタ振動手段２１は、通風路１に対し垂直方向の振動としたが、水平方向の振動でも、不規則な振動でもよく、振動方向に限定されず、その作用効果に差異を生じない。
【０２０９】
なお、実施の形態７では、目詰まり判定手段１２は、風速風量検出手段１１による風速風量検出値に基づくものでも、回転数検出手段１５による回転数検出値に基づくものであっても、集塵フィルタ２の目詰まりを検知できれば方法などは限定されず、その作用効果に差異を生じない。
【０２１０】
なお、実施の形態７では、集塵フィルタ２の清掃を行うか否かの判定に目詰まり判定手段１２を用いたが、運転時間から定期的に集塵フィルタ２の清掃を行うと判定する定期清掃判定手段１７であってもよく、その作用効果に差異を生じない。
【０２１１】
このように、本発明の実施の形態７の換気送風装置によれば、集塵フィルタ振動手段２１により集塵フィルタ２を振動させて集塵された塵埃を除去することができ、また、送風機６は塵埃による劣化の可能性が少なく、塵埃排出用の排出路および送風機を必要としない、また、集塵フィルタ２のメンテナンス不要な換気送風装置を提供できる。
【０２１２】
（実施の形態８）
次に、本発明の実施の形態８の換気送風装置について、図２３、図２４を参照しながら説明する。なお、上記実施の形態１、２、３、４、５、６、７の構成要素と同じ構成要素には、同一番号を付し、その詳細な説明は省略する。図２３に示すように、集塵フィルタ２の清掃を行う際に、居住者にその旨および動作状態を報知する報知手段２２を備えている。
【０２１３】
図２４に報知手段２２の表示例を示す。図２４に示すように、報知手段２２は、換気送風装置の集塵フィルタ２の目詰まり度や集塵フィルタ清掃時の工程などの表示を発光ダイオードの点灯、点滅、消灯等により行う表示部２２ａと、前記表示部２２ａによる表示とともに居住者に対してその旨をブザーや音声などにより知らせる音声発生部２２ｂを備えている。
【０２１４】
表示部２２ａは、換気送風装置の集塵フィルタ清掃時の工程を示す「集塵フィルタ清掃中」、「集塵フィルタ清掃完了」、「通常運転」、集塵フィルタ２の目詰まり度合いを示す「低」、「中」、「高」を、集塵フィルタ２の目詰まり度や集塵フィルタ清掃工程に応じて各々に対応した発光ダイオードの点灯、点滅、消灯により示す。例えば、集塵フィルタ２の目詰まり度合いが高く、集塵フィルタ２の清掃が開始された際には、「集塵フィルタ清掃中」、「高」を点灯させることで居住者に集塵フィルタ２の目詰まり度や集塵フィルタ清掃時の工程などの情報を報知する。
【０２１５】
音声発生部２２ｂは、居住者に対して注意を促したい場合、例えば前記集塵フィルタ２の目詰まり度が「高」で、集塵フィルタ２の清掃が開始された場合には、前記表示部２２ａにて点灯表示を行うとともに、ブザーの鳴動や音声メッセージなどにより居住者に「集塵フィルタ清掃中」であることを報知する。
【０２１６】
上記構成により、換気送風装置は、集塵フィルタ清掃時には居住者にその旨および動作状態を報知することができ、また、送風機６は通風路１内の集塵フィルタ２の下流側、すなわち塵埃を除去された空間内にあるため塵埃による劣化の可能性が少なく、塵埃排出用の排出路および送風機を必要とせずに、また、前記集塵フィルタ２のメンテナンスを必要とせずに行うこととなる。
【０２１７】
なお、実施の形態８では、報知手段２２は、発光ダイオード、液晶画面や音声など文章による報知内容の直接的表現のほか、ランプの点灯・点滅やブザーによる警報など間接的表現であってもその作用効果に差異は生じない。
【０２１８】
また、報知手段２２は、換気送風装置に内蔵され屋内側４の居住者に対して報知を行う構成であっても、換気送風装置の外部に備えられた構成であっても、その作用効果に差異は生じない。
【０２１９】
さらに、換気送風装置および報知手段２２について、無線方式による通信手段２３を備え、報知手段２２が外部に備えられた構成を図２５に示す。
【０２２０】
なお、通信手段２３は有線であっても、電波による無線方式であっても、光など他の媒体を利用した無線方式であっても、通信手段２３は限定されず、その作用効果に差異は生じない。
【０２２１】
なお、報知手段２２で集塵フィルタ２の目詰まり度を「低」、「中」、「高」の３段階で表現したが、レベル表示や数値表示など表現方法は限定されず、その作用効果に差異は生じない。
【０２２２】
このように、本発明の実施の形態８の換気送風装置によれば、集塵フィルタ清掃時には居住者にその旨および動作状態を報知手段２２により報知することができ、また、送風機６は塵埃による劣化の可能性が少なく、塵埃排出用の排出路および送風機を必要としない、また、集塵フィルタ２のメンテナンス不要な換気送風装置を提供できる。
【０２２３】
（実施の形態９）
次に、本発明の実施の形態９の換気送風装置について、図２６を参照しながら説明する。なお、上記実施の形態１、２、３、４、５、７、８の構成要素と同じ構成要素には、同一番号を付し、その詳細な説明は省略する。図２６に示すように、外気を屋内に導く通風路１内の集塵フィルタ２の上流側に、集塵フィルタ清掃終了後の塵埃を排出する為の排出口２４と、前記排出口２４に塵埃排出用開閉手段２５を備え、前記塵埃排出用開閉手段２５は塵埃排出時のみ開くことを特徴としている。
【０２２４】
塵埃排出用開閉手段２５である塵埃排出用ダンパ２５ａは、通常動作である給気動作時には閉じており、前記目詰まり判定手段１２により集塵フィルタ２の清掃を行うと判定した際には、まず、通常動作である屋内側４への給気動作を停止すべく、通常は屋内側４への給気を行い、集塵フィルタ清掃終了後の塵埃を排出する間は屋外側５への排気を行い、塵埃排出終了後、屋内側４への給気を行う送風機６を停止する。次に、集塵フィルタ清掃手段３により集塵フィルタ２の清掃を行い、報知手段２２により「集塵フィルタ清掃中」の発光ダイオード点灯表示とともに、音声メッセージでも集塵フィルタ２の清掃が開始された旨を居住者に報知する。前記集塵フィルタ２の清掃完了後、前記報知手段２２により「集塵フィルタ清掃完了」の発光ダイオード点灯表示とともに、音声メッセージにて集塵フィルタ清掃手段３により掃き落とされた塵埃７を排出口２４から排出することを促すメッセージを居住者に報知する。前記排出口２４から塵埃を排出する準備が完了した際に、前記塵埃排出用ダンパ２５ａを開き、前記送風機６により塵埃を排出する。塵埃排出完了後、前記塵埃排出用ダンパ２５ａを閉じ、通常動作である屋内側４への給気動作を再開すべく前記送風機６を運転する。
【０２２５】
上記構成により、換気送風装置は、送風機６は通風路１内の集塵フィルタ２の下流側、すなわち塵埃を除去された空間内にあるため塵埃による劣化の可能性が少なく、塵埃排出用の排出路を必要とせずに、また、前記集塵フィルタ２のメンテナンスが容易に行えることとなる。
【０２２６】
なお、実施の形態９では、目詰まり判定手段１２は、前記風速風量検出手段１１による風速風量検出値に基づくものでも、前記回転数検出手段１５による回転数検出値に基づくものであっても、集塵フィルタ２の目詰まりを検知できれば方法などは限定されず、その作用効果に差異を生じない。
【０２２７】
なお、実施の形態９では、集塵フィルタ２の清掃を行うか否かの判定に目詰まり判定手段１２を用いたが、運転時間から定期的に集塵フィルタ２の清掃を行うと判定する定期清掃判定手段１７であってもよく、その作用効果に差異を生じない。
【０２２８】
なお、実施の形態９では、集塵フィルタ清掃終了後の塵埃排出時、塵埃排出用ダンパ２５ａを開き、通常は屋内側４への給気を行い、集塵フィルタ清掃終了後の塵埃を排出する間は屋外側５への排気を行い、塵埃排出終了後、屋内側４への給気を行う送風機６により塵埃の排出を行ったが、前記送風機６に替えて、図２６に示すように、排出口２４から電気掃除機２６などにより塵埃排出を行ってもよく、その作用効果に差異を生じない。
【０２２９】
また、前記送風機６と前記電気掃除機２６を組み合わせて塵埃排出を行えば、より効率よく塵埃排出を行うことができ、塵埃排出に要する時間を短縮できる。
【０２３０】
このように、本発明の実施の形態９の換気送風装置によれば、送風機６は塵埃による劣化の可能性が少なく、塵埃排出用の排出路を必要としない、また、集塵フィルタ２のメンテナンスが容易な換気送風装置を提供できる。
【０２３１】
（実施の形態１０）
次に、本発明の実施の形態１０の換気送風装置について、図２７を参照しながら説明する。なお、上記実施の形態１、２、３、４、５、６、７、８、９の構成要素と同じ構成要素には、同一番号を付し、その詳細な説明は省略する。図２７に示すように、集塵フィルタ清掃終了後の塵埃が外気を屋内に導く通風路１内に残留しないように塵埃排出時のみ前記通風路１を閉じる塵埃残留防止用開閉手段２７である塵埃残留防止用ダンパ２７ａを通風路１内に備えている。
【０２３２】
塵埃残留防止用開閉手段２７である塵埃残留防止用ダンパ２７ａは、通常動作である給気動作時には開いており、前記目詰まり判定手段１２により集塵フィルタ２の清掃を行うと判定した際には、まず、通常動作である屋内側４への給気動作を停止すべく、通常は屋内側４への給気を行い、集塵フィルタ清掃終了後の塵埃を排出する間は屋外側５への排気を行い、塵埃排出終了後、屋内側４への給気を行う送風機６を停止する。次に、集塵フィルタ清掃手段３により集塵フィルタ２の清掃を行い、報知手段２２により「集塵フィルタ清掃中」の発光ダイオード点灯表示とともに、音声メッセージでも集塵フィルタ２の清掃が開始された旨を居住者に報知する。前記集塵フィルタ２の清掃完了後、前記報知手段２２により「集塵フィルタ清掃完了」の発光ダイオード点灯表示とともに、音声メッセージにて集塵フィルタ清掃手段３により掃き落とされた塵埃７を排出口２４から排出することを促すメッセージを居住者に報知する。前記排出口２４から塵埃を排出する準備が完了した際に、塵埃排出用ダンパ２５ａを開き、前記塵埃残留防止用ダンパ２７ａを閉じ、前記送風機６により塵埃を前記排出口２４から排出する。塵埃排出完了後、前記塵埃排出用ダンパ２５ａを閉じ、前記塵埃残留防止用ダンパ２７ａを開き、通常動作である屋内側４への給気動作を再開すべく前記送風機６を運転する。
【０２３３】
上記構成により、換気送風装置は、送風機６は通風路１内の集塵フィルタ２の下流側、すなわち塵埃を除去された空間内にあるため塵埃による劣化の可能性が少なく、塵埃排出時のみ塵埃残留防止用ダンパ２７ａを閉じ、排出口２４からのみ塵埃排出を行うので、外気を屋内に導く通風路１内に集塵フィルタ清掃終了後の塵埃が残留することを防止でき、塵埃排出用の排出路および送風機を必要とせずに、また、前記集塵フィルタ２のメンテナンスが容易に行えることとなる。
【０２３４】
なお、実施の形態１０では、集塵フィルタ清掃終了後の塵埃排出時、塵埃排出用ダンパ２５ａを開き、塵埃残留防止用ダンパ２７ａを閉じ、通常は屋内側４への給気を行い、集塵フィルタ清掃終了後の塵埃を排出する間は屋外側５への排気を行い、塵埃排出終了後、屋内側４への給気を行う送風機６により塵埃の排出を行ったが、前記送風機６に替えて、図２６に示すように、排出口２４から電気掃除機２６などにより塵埃排出を行ってもよく、その作用効果に差異を生じない。
【０２３５】
また、前記送風機６と前記電気掃除機２６を組み合わせて塵埃排出を行えば、より効率よく塵埃排出を行うことができ、塵埃排出に要する時間を短縮できる。
【０２３６】
このように、本発明の実施の形態１０の換気送風装置によれば、送風機６は塵埃による劣化の可能性が少なく、外気を屋内に導く通風路１内に集塵フィルタ清掃終了後の塵埃が残留することを防止でき、塵埃排出用の排出路および送風機を必要とせずに、また、前記集塵フィルタ２のメンテナンスが容易に行えることとなる。
【０２３７】
（実施の形態１１）
次に、本発明の実施の形態１１の換気送風装置について、図２８、図２９を参照しながら説明する。なお、上記実施の形態１、２、３、４、５、６、７、８、９、１０の構成要素と同じ構成要素には、同一番号を付し、その詳細な説明は省略する。図２８に示すように、運転時間計測手段１６と、定期清掃判定手段１７と、集塵フィルタの目詰まりを検出する集塵フィルタ目詰まり検出手段としての風速風量検出手段１１と、集塵フィルタの目詰まり判定手段１２を備え、前記定期清掃判定手段１７と前記目詰まり判定手段１２の判定結果に基づき集塵フィルタ清掃手段３を動作させる清掃判定手段２８を備えている。
【０２３８】
清掃判定手段２８は、目詰まり判定手段１２と、定期清掃判定手段１７を備え、少なくともどちらか一方が集塵フィルタ２の清掃を行うと判定した際に、集塵フィルタ２の清掃を行うべく集塵フィルタ清掃手段３を動作させる。
【０２３９】
図２９に清掃判定手段２８のフローチャートを示す。なお、目詰まり判定手段１２と定期清掃判定手段１７の集塵フィルタ２の清掃を行うと判定するまでのフローチャートについては、前述の図１２、図１７と同様であるので、詳細な説明は省略する。図２９に示すように、まず、前記目詰まり判定手段１２と前記定期清掃判定手段１７の判定結果を入力する。前記判定結果は各々、図１２のステップＳ００１の出力、図１７のステップＳ００３の出力にあたる。次に、ステップＳ００４において、前記ステップＳ００１の出力、前記ステップＳ００３の出力のうち、少なくともどちらか一方が前記集塵フィルタ２の清掃を行うとの判定結果であった場合には、前記集塵フィルタ２の清掃を行うべく集塵フィルタ清掃手段３を動作させる。また、前記集塵フィルタ２の清掃が完了した際には、通風路１内に前記集塵フィルタ清掃手段３により前記集塵フィルタ２から掃き落とされた塵埃７を屋内から屋外に向かって一定時間排出する。塵埃排出が完了した際には、通常の給気動作を行い、運転時間計測手段１６により計測された運転時間をリセットし、タイマカウンタ処理の再開を行う。前記ステップＳ００１の出力、前記ステップＳ００３の出力のどちらも集塵フィルタ２の清掃を行わないとの判定結果であった場合には、集塵フィルタ２の清掃を行わず、通常の給気動作を行う。
【０２４０】
上記構成により、換気送風装置は、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、運転時間計測手段１６と定期清掃判定手段１７により集塵フィルタ２の目詰まりが発生しないよう、また、塵埃が少なく目詰まり判定手段１２にて目詰まりしているという判定に至る経過時間が長くなった際など塵埃がこびりついて除去し辛くなるのを防ぐよう定期的に集塵フィルタ清掃手段３により清掃を行うことができる。
【０２４１】
また、取り込んだ外気の塵埃が急激に増加し前記集塵フィルタ２が目詰まりした際にも、集塵フィルタ目詰まり検出手段としての風速風量検出手段１１と目詰まり判定手段１２により、前記集塵フィルタ２が目詰まりしていると判定し前記集塵フィルタ清掃手段３により清掃を行うことができる。
【０２４２】
さらに、集塵フィルタ清掃終了後には、前記送風機６により屋外側５へ塵埃の排出を行うことができ、塵埃排出終了後には、通常の屋内側４への給気を行うことができる。
【０２４３】
また、前記送風機６は通風路１内の前記集塵フィルタ２の下流側、すなわち塵埃を除去された空間内にあるため塵埃による劣化の可能性が少なく、塵埃排出用の排出路および送風機を必要とせずに、また、集塵フィルタ２のメンテナンスを必要とせずに行うこととなる。
【０２４４】
なお、実施の形態１１では、目詰まり判定手段１２は、風速風量検出手段１１による風速風量検出値に基づくものでも、回転数検出手段１５による回転数検出値に基づくものであっても、集塵フィルタ２の目詰まりを検知できれば方法などは限定されず、その作用効果に差異を生じない。
【０２４５】
このように、本発明の実施の形態１１の換気送風装置によれば、通常は屋内側４への給気を行い、集塵フィルタ清掃終了後の塵埃を排出する間は屋外側５への排気を行い、塵埃排出終了後、屋内側４への給気を行う送風機６により、通常は屋内側４への給気を行い、運転時間計測手段１６と定期清掃判定手段１７により集塵フィルタ２の目詰まりが発生しないよう、また、塵埃が少なく目詰まり判定手段１２にて目詰まりしているという判定に至る経過時間が長くなった際など塵埃がこびりついて除去し辛くなるのを防ぐよう集塵フィルタ清掃手段３により定期的に清掃を行うことができる。
【０２４６】
また、取り込んだ外気の塵埃が急激に増加し前記集塵フィルタ２が目詰まりした際にも、集塵フィルタ目詰まり検出手段としての風速風量検出手段１１と目詰まり判定手段１２により、集塵フィルタ２が目詰まりしていると判定し集塵フィルタ清掃手段３により清掃を行うことができる。
【０２４７】
さらに、集塵フィルタ清掃終了後には、前記送風機６により屋外側５へ塵埃の排出を行うことができ、塵埃排出終了後には、通常の屋内側４への給気を行うことができる。
【０２４８】
また、前記送風機６は塵埃による劣化の可能性が少なく、塵埃排出用の排出路および送風機を必要としない、また、集塵フィルタ２のメンテナンス不要な換気送風装置を提供できる。
【産業上の利用可能性】
【０２４９】
換気送風機能のある装置一般に適用でき、家庭用エアコンディショナ、自動車用エアコンディショナ、空気清浄機、ビル用空調機などの用途にも適用できる。
【図面の簡単な説明】
【０２５０】
【図１】本発明の実施の形態１の通常の給気動作時における換気送風装置の給気側主要断面図
【図２】同集塵フィルタ清掃開始時における換気送風装置の給気側主要断面図
【図３】同集塵フィルタ清掃終了時における換気送風装置の給気側主要断面図
【図４】同塵埃排出時における換気送風装置の給気側主要断面図
【図５】同集塵フィルタ清掃手段の主要断面図
【図６】同通風路の屋外側から見た集塵フィルタ清掃手段の主要断面図
【図７】同電動機（リバーシブルモータ）の正転、逆転の回路例図
【図８】同交流電源と直流電動機を用いた正転、逆転の回路例図
【図９】本発明の実施の形態２の換気送風装置の給気側主要断面図
【図１０】同風速風量検出手段の構成図
【図１１】同風量演算手段のフローチャート
【図１２】同目詰まり判定手段のフローチャート
【図１３】本発明の実施の形態３における換気送風装置の給気側主要断面図
【図１４】同回転数検出手段の構成図
【図１５】同目詰まり判定手段のフローチャート
【図１６】本発明の実施の形態４における換気送風装置の給気側主要断面図
【図１７】同定期清掃判定手段のフローチャート
【図１８】本発明の実施の形態４における換気送風装置の給気側主要断面図
【図１９】同集塵フィルタ下流側から送風機をみた主要断面図
【図２０】同送風機を真下からみた主要断面図
【図２１】本発明の実施の形態６における換気送風装置の給気側主要断面図
【図２２】本発明の実施の形態７における換気送風装置の給気側主要断面図
【図２３】本発明の実施の形態８における換気送風装置の給気側主要断面図
【図２４】同報知手段の表示および報知例を示す構成図
【図２５】同報知手段を外部に備えた換気送風装置の給気側主要断面図
【図２６】本発明の実施の形態９における換気送風装置の給気側主要断面図
【図２７】本発明の実施の形態１０における換気送風装置の給気側主要断面図
【図２８】本発明の実施の形態１１における換気送風装置の給気側主要断面図
【図２９】同清掃判定手段のフローチャート
【図３０】従来の塵埃除去装置と塵埃排出路と排出用送風機を備えた空気調和機を示す要部断面図
【符号の説明】
【０２５１】
１  通風路
２  集塵フィルタ
３  集塵フィルタ清掃手段
４  屋内側
５  屋外側
６  送風機
７  掃き落とされた塵埃
８  ブラシ
９  ブラシ回転装置
１０  ブラシ回転装置移動手段
１１  風速風量検出手段
１２  目詰まり判定手段
１３  風速検知手段
１４  圧力センサ
１５  回転数検出手段
１６  運転時間計測手段
１７  定期清掃判定手段
１８  送風機
１９  送風機送風方向変更手段
２０  送風機
２１  集塵フィルタ振動手段
２２  報知手段
２３  通信手段
２４  排出口
２５  塵埃排出用開閉手段（塵埃排出用ダンパ）
２６  電気掃除機
２７  塵埃残留防止用開閉手段（塵埃残留防止用ダンパ）
２８  清掃判定手段
１０１  空気清浄気流路
１０２  送風機
１０３  空気清浄集塵部
１０４  ブラシ
１０５  換気ダクト
１０６  ダンパ（塵埃排出用）
１０７  送風機（塵埃排出用）
【図１】
2005241093.tif 000003
【図２】
2005241093.tif 000004
【図３】
2005241093.tif 000005
【図４】
2005241093.tif 000006
【図５】
2005241093.tif 000007
【図６】
2005241093.tif 000008
【図７】
2005241093.tif 000009
【図８】
2005241093.tif 000010
【図９】
2005241093.tif 000011
【図１０】
2005241093.tif 000012
【図１１】
2005241093.tif 000013
【図１２】
2005241093.tif 000014
【図１３】
2005241093.tif 000015
【図１４】
2005241093.tif 000016
【図１５】
2005241093.tif 000017
【図１６】
2005241093.tif 000018
【図１７】
2005241093.tif 000019
【図１８】
2005241093.tif 000020
【図１９】
2005241093.tif 000021
【図２０】
2005241093.tif 000022
【図２１】
2005241093.tif 000023
【図２２】
2005241093.tif 000024
【図２３】
2005241093.tif 000025
【図２４】
2005241093.tif 000026
【図２５】
2005241093.tif 000027
【図２６】
2005241093.tif 000028
【図２７】
2005241093.tif 000029
【図２８】
2005241093.tif 000030
【図２９】
2005241093.tif 000031
【図３０】
2005241093.tif 000032